(57)【要約】【課題】掃除機本体から排出される排気を用いて、強い気流で塵埃等を吹き飛ばすことができる電気掃除機を提供する。【解決手段】集塵ユニットと収容ユニットと電動送風機とを有する掃除機本体と、電源コードが巻き付く巻取部を有するコードリールと、掃除機本体に接続するサクションホースとを有し、収容ユニットには、サクションホースと接続して塵挨を含む気流を吸い込む吸込み側ホース接続口と、塵挨を分離した気流を排気する排気口が形成され、排気口は、サクションホースが接続する排気側ホース接続口が形成され、サクションホースは、吸込み側接続口と排気側接続口と接続する接続部を有し、巻取部の孔を通ってコードリールの中央方向に向かい、電動送風機の吸込口に至る空気の流路が設けられるとともに、電動送風機から排気口に至る風路に排気が掃除機本体から外部へ洩れるのを防止するシール部材を設けた。【選択図】          図１４
2019188220.tif 000002
【特許請求の範囲】
【請求項１】
集塵ユニットと収容ユニットと電動送風機とを有する掃除機本体と、
前記掃除機本体に接続するサクションホースと、
電源コードと、
前記電源コードが巻き付けられる巻取部を有するコードリールと、
を備える電気掃除機において、
前記電動送風機を制御する制御手段と、
前記サクションホースに接続する接続パイプと、
前記接続パイプに設けられた操作表示部と、
をさらに備え、
前記集塵ユニットは、前記収容ユニットに着脱自在に取り付けられ、
前記収容ユニットには、塵挨を含む気流を吸い込む吸気側ホース接続口と、塵挨を分離した気流を排気する排気口と、が形成され、
前記排気口には、前記サクションホースが接続可能な排気側ホース接続口が形成され、
前記サクションホースは、前記吸気側ホース接続口および前記排気側ホース接続口のどちらにも接続可能な接続部を有し、
前記巻取部には孔が形成され、
前記掃除機本体の外部から前記電動送風機の吸込口に吸い込まれる空気の流路は、前記孔を通って前記コードリールの中央に向かって形成され、
前記電動送風機から前記排気口に至る風路には、排気が前記掃除機本体から外部へ洩れることを防止するシール部材が設けられ、
前記接続部には、前記操作表示部と電気的に繋がる接続端子が設けられ、
前記吸気側ホース接続口には、前記接続部が前記吸気側ホース接続口に接続すると前記接続端子と接続する吸気側端子受け部が設けられ、
前記排気側ホース接続口には、前記接続部が前記排気側ホース接続口に接続すると前記接続端子と接続する排気側端子受け部が設けられ、
前記吸気側端子受け部及び前記排気側端子受け部は、前記制御手段と電気的に接続し、
前記制御手段は、前記操作表示部から前記吸気側端子受け部または前記排気側端子受け部を介して入力された信号に基づき前記電動送風機を制御することを特徴とする電気掃除機。
【請求項２】
前記集塵ユニットは、吸込んだ含塵空気から塵挨を分離する構造がサイクロン構造であることを特徴とする請求項１に記載の電気掃除機。
【請求項３】
前記電動送風機の上流側及び下流側にフィルターが設けられたことを特徴とする請求項１又は請求項２に記載の電気掃除機。
【請求項４】
前記コードリールは、長手方向に伸びる中空領域を有する軸部を備え、
前記軸部の側面には、前記中空領域に通じる開口が形成され、
前記コードリールには、前記孔と前記開口とをつなぐ空隙が形成されたことを特徴とする請求項１に記載の電気掃除機。
【請求項５】
前記コードリールは、前記軸部に回転可能に接触する平行部を備え、
前記平行部には第２の孔が設けられ、
前記第２の孔と前記開口とがつながることを特徴とする請求項４に記載の電気掃除機。
【請求項６】
前記巻取部は、前記電源コードに接する凸部を備えたことを特徴とする請求項１又は請求項５に記載の電気掃除機。
【請求項７】
前記電源コードに接続された端子を覆う端子カバーを備え、
前記端子カバーは、前記中空領域につながるガイド孔が形成されたガイド部を備えたことを特徴とする請求項４に記載の電気掃除機。
【請求項８】
前記電動送風機の位置を固定し、前記電動送風機の吸込口に通じる連結孔が形成された連結部を有する係止部材と、
前記連結部と前記ガイド部に接続され、前記電動送風機の吸込口と前記ガイド孔とをつなぐチューブと、を備えたことを特徴とする請求項７に記載の電気掃除機。
【請求項９】
前記集塵ユニットから前記電動送風機に向かう空気の塵埃を捕集するフィルタを備え、  前記連結部は、前記フィルタと前記電動送風機の間に設けられたことを特徴とする請求項８に記載の電気掃除機。
【請求項１０】
前記チューブは蛇腹部を備えたことを特徴とする請求項８又は請求項９に記載の電気掃除機。
【請求項１１】
前記チューブはプラスチックで形成されたことを特徴とする請求項８から請求項１０のいずれか１項に記載の電気掃除機。
【請求項１２】
前記チューブはゴムで形成されたことを特徴とする請求項８から請求項１０のいずれか１項に記載の電気掃除機。
【請求項１３】
前記コードリールが設けられた空間は、前記電動送風機の排気風が通る排気流路から遮断されたことを特徴とする請求項１又は請求項４から請求項１２のいずれか１項に記載の電気掃除機。
【請求項１４】
前記電動送風機を制御する基板を備え、前記基板が設けられた空間は、前記電動送風機の排気風が通る排気流路から遮断されたことを特徴とする請求項１又は請求項４から請求項１３のいずれか１項に記載の電気掃除機。
【請求項１５】
前記電動送風機を制御する基板と、
前記電動送風機と前記フィルタの間に設けられたヒートシンクと、
を備え、
前記ヒートシンクと前記基板とを接続したことを特徴とする請求項９に記載の電気掃除機。
【発明の詳細な説明】
【技術分野】
【０００１】
本発明は、電気掃除機に関する。
【背景技術】
【０００２】
従来から、本体内部に電動送風機を備え、電動送風機の動作により生み出された気流を排気する排気口にブロワホースを接続して、本体から排出される排気をブロワーの気流に用いる電気掃除機がある（例えば、特許文献１参照）。
【先行技術文献】
【特許文献】
【０００３】
【特許文献１】実開平１−１４９７５５号公報
【発明の概要】
【発明が解決しようとする課題】
【０００４】
しかしながら従来の構成では、コードリールに収納された電源コードを、電動送風機の排気風を利用して冷却させているため、排気風が電源コード出口と排気口に分散することで、排気口から出るブロワーの気流が弱いという課題がある。
【０００５】
本発明は、上記のような課題を解決する為になされたもので、電動送風機の排気風を分散せずに全てブロワーに用いることができ、ブロワー機能として用いる際強い気流で塵埃等を吹き飛ばすことができる電気掃除機を提供することを目的とする。
【課題を解決するための手段】
【０００６】
上記の課題を解決する本発明に係る電気掃除機は、集塵ユニットと収容ユニットと電動送風機を有する掃除機本体と、電源コードと、該電源コードが巻き付けられる巻取部を有するコードリールと、掃除機本体に接続するサクションホースと、を備える。また、この電気掃除機は、電動送風機を制御する制御手段と、サクションホースに接続する接続パイプと、接続パイプに設けられた操作表示部と、をさらに備える。集塵ユニットは、収容ユニットに着脱自在に取り付けられる。収容ユニットには、塵挨を含む気流を吸い込む吸気側ホース接続口と、塵挨を分離した気流を排気する排気口と、が形成される。排気口には、サクションホースが接続可能な排気側ホース接続口が形成される。サクションホースは、吸気側ホース接続口および排気側ホース接続口のどちらにも接続可能な接続部を有する。巻取部には孔が形成される。掃除機本体の外部から電動送風機の吸込口に吸い込まれる空気の流路は、巻取部に形成された孔を通ってコードリールの中央に向かって形成される。また電動送風機から排気口に至る風路には、排気が掃除機本体から外部へ洩れるのを防止するシール部材が設けられる。接続部には、操作表示部と電気的に繋がる接続端子が設けられ、吸気側ホース接続口には、接続部が吸気側ホース接続口に接続すると接続端子と接続する吸気側端子受け部が設けられ、排気側ホース接続口には、接続部が排気側ホース接続口に接続すると接続端子と接続する排気側端子受け部が設けられる。吸気側端子受け部及び排気側端子受け部は、制御手段と電気的に接続する。制御手段は、操作表示部から吸気側端子受け部または排気側端子受け部を介して入力された信号に基づき電動送風機を制御する。
【発明の効果】
【０００７】
掃除機本体から排出される排気を用いて、強い気流で塵埃等を吹き飛ばすことができる電気掃除機を提供できる。
【図面の簡単な説明】
【０００８】
【図１】電気掃除機１の斜視図である。
【図２】掃除機本体６の斜視図である。
【図３】掃除機本体６の上面図である。
【図４】掃除機本体６の後面図である。
【図５】サクションホース５の接続部５ｂの斜視図である。
【図６】集塵ユニットの斜視図である。
【図７】集塵ユニットの分解斜視図である。
【図８】図６におけるＣ−Ｃ断面図である。
【図９】図３におけるＡ−Ａ断面図である。
【図１０】排気口にサクションホース５を接続した状態の排気側接続部の略中央部における断面図である。
【図１１】図１０に示すＢ部の拡大図である。
【図１２】図１０の状態の掃除機本体６の全体斜視図である。
【図１３】コードリールの分解図である。
【図１４】コードリールの断面斜視図である。
【図１５】巻取部と電源コードの平面図である。
【図１６】軸部の断面図である。
【図１７】軸部の正面図である。
【図１８】平行部と軸部等の断面図である。
【図１９】本体の内部を示す平面図である。
【図２０】チューブの斜視図である。
【図２１】本体の断面図である。
【発明を実施するための形態】
【０００９】
実施の形態
以下、図面を参照して本発明の実施の形態について説明する。
図１は、本発明の実施の形態に係る電気掃除機１の斜視図である。図２は、掃除機本体６の斜視図である。図３は、掃除機本体６の上面図である。図４は、掃除機本体６の後面図である。図５は、サクションホース５の接続部５ｂの斜視図である。図６は、集塵ユニットの斜視図である。図７は、集塵ユニットの分解斜視図である。図８は、図６におけるＣ−Ｃ断面図である。図９は、図３におけるＡ−Ａ断面図である。図１０は、排気口にサクションホース５を接続した状態の断面図である。図１１は、図１０に示すＢ部の拡大図である。図１２は、図１０の状態の掃除機本体６の斜視図である。
【００１０】
図１〜図４に示すように、本実施の形態１の電気掃除機１は、例えば、吸込口体２、吸引パイプ３、接続パイプ４、サクションホース５及び掃除機本体６（以下、本体６）を備える。
吸込口体２は、下向きに形成された開口（図示せず）から、床面上のごみ（塵埃）を空気と一緒に吸い込むためのものである。吸込口体２は、長手方向の中央部に円筒状の接続部２ａを備える。上記開口と接続部２ａとは、吸込口体２の内部で通じている。
吸引パイプ３は、円筒状の真直ぐな部材からなる。そして、吸引パイプ３は、伸縮自在な構成を有する。また、吸引パイプ３は、一側の端部が吸込口体２の接続部２ａに接続する。吸込口体２は、吸引パイプ３に着脱自在である。
【００１１】
接続パイプ４は、途中で折れ曲がった円筒状の部材からなる。接続パイプ４は、一側の端部が吸引パイプ３の他側の端部に接続される。吸引パイプ３は、接続パイプ４に着脱自在である。
また、接続パイプ４には、ハンドル７が設けられる。ハンドル７は、掃除をする人が持つ把持部である。ハンドル７には、操作表示部８が設けられる。操作表示部８は、電気掃除機１の運転を指示するための複数のボタン８ａや運転状態を示す表示ランプ８ｂを備える。尚、操作表示部８は、操作のみを行う部位でもよい。
【００１２】
操作表示部８ａに備えられるボタンの例として、後述する電動送風機１０を作動・停止させる入・切ボタンや、電動送風機１０の出力を変化させて吸引力を調整する出力調整ボタン等がある。また、備えられる表示ランプの例として、電動送風機１０の出力（吸引力）を示す出力ランプや、運転モードを示す運転モードランプ等がある。
これらのボタンを構成するスイッチや表示ランプは、印刷配線基板（図示せず）に実装されており、本体６から供給される電力により動作する。
【００１３】
サクションホース５は、蛇腹状の細長い部材からなる。サクションホース５は、蛇腹状であるため任意の方向に曲がる。サクションホース５は、一側の端部が接続パイプ４の他側の端部に接続される。掃除機本体６の前面には、前方に向けて開口する吸気側ホース接続口９が形成される。掃除機本体６の吸気側ホース接続口９は、サクションホース５の他側の端部が接続し、塵挨を含む気流を取り込む。
【００１４】
ここで、サクションホース５の内部には、上記の操作表示部８を構成する印刷配線基板に接続して、他側の端部に至る複数のリード線５ａが設けられている。
このリード線５ａは、本体６に設けられた制御手段から操作表示部８に電力を供給したり、制御手段からの信号を操作表示部８に入力したり、操作表示部８におけるスイッチ操作による信号を制御手段に出力したり、吸込口体２に電動の回転ブラシを備える場合、この回転ブラシを駆動するモーターを制御する制御基板に電力を供給する。
制御手段は、操作表示部８への入力や各部に設けられた各種センサーからの入力に基づき、電動送風機１０の出力や表示ランプの制御をおこなう。
【００１５】
そして、図５を参照すると、サクションホース５の他側の端部には、吸気側ホース接続口９に着脱自在に接続する接続部５ｂが形成される。この接続部５ｂには、リード線５ａに電気的に接続する接続端子５ｃが設けられる。接続端子５ｃは棒形状をなし、長手方向が、吸気側ホース接続口９に対する接続部５ｂの接続方向と一致している。接続端子５ｃは、操作表示部８と電気的に接続している。
上記の吸気側ホース接続口９には、サクションホース５の接続部５ｂが接続した際に、接続端子５ｃと接続する接続部となる吸気側端子受け部９ａが設けられている。この吸気側端子受け部９ａは、制御手段と電気的に接続している。尚、サクションホース５は、接続部５ｂに対して回転自在に構成されている。
【００１６】
吸気側端子受け部９ａに接続端子５ｃが接続することで、操作表示部８が制御手段に電気的に接続する。これにより、操作表示部８が本体６（制御手段）から電力の供給や制御信号を受けたり、使用者がスイッチを操作することによる信号を制御手段に出力できるので、操作表示部８から電動送風機１０の出力を変更可能となる。
つまり、使用者がハンドル７を持ったまま操作表示部８を操作して、電動送風機１０の出力を変更して、吸引力を調整することができる。また、接続部５ｂには、吸気側ホース接続口９に接続した際に、吸気側ホース接続口９に形成された凹部に係合する係合手段５ｄと、係合状態を解除する係合解除ボタン５ｅが設けられている。
【００１７】
次に図９を参照すると、掃除機本体６は、電動送風機１０（図１では図示せず）及び電源コード１１を備える。電源コード１１は、掃除機本体６の内部に設けられたコードリール部（図示せず）に巻き付けられる。
電源コード１１が外部の電源に接続されると、電動送風機１０や操作表示部８等が通電可能となる。電動送風機１０は、電源コード１１が電源に接続されると、操作表示部８に対する操作に応じて予め設定された吸引動作を行う。
【００１８】
以上のようにそれぞれ接続する吸込口体２、吸引パイプ３、接続パイプ４及びサクションホース５は、内部が一続きに形成される。電動送風機１０が吸引動作を行うと、床面上のごみ等の塵埃が空気と一緒に吸込口体２に吸い込まれる。
吸込口体２の内部に流入した塵埃を含む空気は、吸引パイプ３、接続パイプ４及びサクションホース５の各内部を通って本体６に送られる。吸込口体２、吸引パイプ３、接続パイプ４及びサクションホース５は、外部から本体６にごみ等の塵埃を含む空気を流入させるための風路を形成する。
尚、本発明において、塵埃とは、ごみだけでなく、繊維、毛、綿毛、土砂、粉末、粉体等も包含する概念である。本発明では、塵埃を含む空気（塵埃と空気の混合物）を含塵空気と称する。
【００１９】
以下の説明では、掃除機本体６が真っ直ぐ前に進むときの進行方向を基準として左右を特定する。すなわち、図３の上を右、図３の下を左、図３の左を進行方向とする。
掃除機本体６は、収容ユニット１２と塵挨を捕集する集塵部となる集塵ユニット１３とを備える。集塵ユニット１３は、収容ユニット１２に対して着脱自在に搭載される。
【００２０】
収容ユニット１２は、電動送風機１０及び電源コード１１を備える収容部である。また、収容ユニット１２は、例えば、後部収容体１４及び前部収容体１５と吸気風路形成部１６と排気風路形成部１７と車輪１８とを備える。
電動送風機１０及び電源コード１１は、後部収容体１４に収容される。前部収容体１５は上方に向けて開口し、開口内部に収容部１５ａを形成する。収容部１５ａは、集塵ユニット１３を収容するための空間である。後部収容体１４及び前部収容体１５は、例えば成型品である。
【００２１】
吸気風路形成部１６は、吸気風路１９を形成する。吸気風路１９は、収容ユニット１２に形成された風路である。吸気風路１９は、サクションホース５を通過した含塵空気を集塵ユニット１３に導くための風路である。
吸気風路形成部１６は、一端が収容ユニット１２の前面で開口する。吸気風路形成部１６のこの一端は、吸気側ホース接続口９を形成する。吸気風路形成部１６は、他端が前部収容体１５で開口する。吸気風路形成部１６のこの他端は、集塵ユニット１３との接続口を形成する。
【００２２】
集塵ユニット１３は、吸気風路１９から流入した含塵空気から塵埃を分離する機能を有する。集塵ユニット１３は、含塵空気を高速で旋回させることにより、遠心力によって塵埃を分離する。
すなわち、集塵ユニット１３は、含塵空気の分離方式がサイクロン分離方式である。また、集塵ユニット１３は、分離した塵埃を捕集し、一時的に溜めておく機能を有する。
【００２３】
ここで図６〜図９を参照して、集塵ユニット１３について説明する。
各図に示すように集塵ユニット１３は、全体として、円筒形状を成しており、集塵ユニット１３は、排出部ケース２３、フィルター部ケース２４、流入部ケース２５及び集塵部ケース２６から構成される。
【００２４】
これらの排出部ケース２３、フィルター部ケース２４、流入部ケース２５及び集塵部ケース２６は、例えば、樹脂成型品からなる。排出部ケース２３、フィルター部ケース２４、流入部ケース２５及び集塵部ケース２６は、所定の操作（例えば、ロック機構に対する操作等）により、図７に示す状態に分解したり、図６に示す状態に組み立てたりすることができるように構成されている。また、図６に示す状態から、集塵部ケース２６のみを取り外すこともできる。
【００２５】
以下、排出部ケース２３、フィルター部ケース２４、流入部ケース２５及び集塵部ケース２６を組み合わせて構成された集塵ユニット１３について説明する。また、以下の集塵ユニット１３に関する説明においては、図８に示す向きを基準に、上下を特定する。
図６〜図８に示すように、流入部ケース２５の前側には、流入口２５ａが形成される。また、排出部ケース２３の後側には、流出口２３ａが形成される。流出口２３ａは、流入口２５ａよりも上方の位置に配置されている。
【００２６】
図７〜図９に示すように、流入部ケース２５は、流入口２５ａから内部に含塵空気を導入する部位であり、内部に旋回室２５ｂを備えている。旋回室２５ｂの上部は、円筒部２５ｃからなる。旋回室２５ｂの下部は、円錐部２５ｄからなる。
【００２７】
円筒部２５ｃは、中空の円筒形状を成している。円筒部２５ｃは、断面中心軸線Ｌが上下方向を向くように配置される。円錐部２５ｄは、先端部が切り取られた中空の円錐状を呈する。円錐部２５ｄは、断面中心軸線Ｌが円筒部２５ｃの中心軸線と一致するように、上下方向に配置される。
円錐部２５ｄは、上端部が円筒部２５ｃの下端部に接続され、下方に向かうに従って径が小さくなるように、円筒部２５ｃの下端部から下方に延びるように設けられる。
【００２８】
このように形成された円筒部２５ｃの内部空間と円錐部２５ｄの内部空間とからなる一続きの空間は、旋回室２５ｂを構成する。旋回室２５ｂは、流入口２５ａより導入した含塵空気を旋回させるための空間である。
図８に示すように、円筒部２５ｃの上部（旋回室２５ｂを形成する側壁の上部）には、流入口２５ａが開口する。流入口２５ａから流入する含塵空気は、円筒形状の旋回室２５ｂの側面に沿って流入する。
【００２９】
次に、図７〜図９に示すように、旋回室２５ｂの円筒部２５ｃの側壁には、０次開口部２５ｅが形成されている。０次開口部２５ｅは、流入口２５ａよりも旋回室２５ｂの中心軸線Ｌ方向の下方に配置される。
さらに言えば、０次開口部２５ｅは、流入口２５ａよりも、旋回室２５ｂの中心軸線Ｌ方向の下方、すなわち、旋回室２５ｂ内で生じる旋回流における下流側に配置される。
【００３０】
次に、旋回室２５ｂを形成する円錐部２５ｄの下端部は、下方向（中心軸線Ｌ方向）を向いて開口する。円錐部２５ｄの下端部に形成されたこの開口が、１次開口部２５ｆである。したがって、この１次開口部２５ｆは０次開口部２５ｅより旋回室２５ｂ内で生じる旋回流における下流側に配置されている。
また、円錐部２５ｄの外側には、隔壁３０が設けられている。この隔壁３０は、円筒部２５ｃとほぼ同径の略円筒状を呈する。隔壁３０の上端は、円筒部２５ｃと円錐部２５ｄとの接続部近傍に接続されている。
【００３１】
次に、集塵部ケース２６は、下方が閉じ、上方が開口したカップ形状を成している。集塵部ケース２６は、流入部ケース２５の外側及び下方側に配置される。つまり、集塵部ケース２６の内側に、旋回室２５ｂを形成する円筒部２５ｃと円錐部２５ｄが位置する。
この状態において、流入部ケース２５の円筒部２５ｃの０次開口部２５ｅの上端よりも下方側と、円錐部２５ｄ及び隔壁３０の全体が、集塵部ケース２６内に収容される。また、隔壁３０の下端部が、集塵部ケース２６の底面に設けられたシール材と密着する。
そして、集塵部ケース２６の開口２６ａは、流入部ケース２５の外周面からフランジ状に突出した蓋部２５ｇにより密閉される。
【００３２】
そして、流入部ケース２５と集塵部ケース２６との間に形成された空間は、隔壁３０により２つに区切られる。こうしてできた２つの空間のうち、円筒部２５ｃ及び隔壁３０の外側に形成された空間が０次集塵室３１であり、円錐部２５ｄの下方及び外側であって隔壁３０の内側に形成された空間が１次集塵室３２である。
つまり、集塵部ケース２６と流入部ケース２５の外面の間に形成される空間は、旋回室２５ｂから排出された塵埃を保持する集塵室３１、３２となっている。
【００３３】
０次集塵室３１は、０次開口部２５ｅと連通しており、旋回室２５ｂの外側全周を覆うように包囲している。また、０次集塵室３１は、０次開口部２５ｅから下方に延在している。１次集塵室３２は、１次開口部２５ｆの下方から円錐部２５ｄの外側全周へ延在している。
【００３４】
次に、フィルター部ケース２４は、円筒部２５ｃの上開口を覆うように設けられる。フィルター部ケース２４には、メッシュ状の排出口２４ａが形成されている。排出口２４ａは、上部が略円筒形状、下部が略円錐形状の管の側壁及び下方の一部を開口して形成される微細孔により構成される。
【００３５】
よって、旋回室２５ｂ内の上方における気流の旋回力が増大し分離性能をさらに向上することができる。そして、この排出口２４ａと流出口２３ａとが、排出部ケース２３に形成された排出管２３ｂにより連通される。
排出管２３ｂは主に排出部ケース２３により形成されている。なお、排出口２４ａはフィルター部ケース２４に形成されており、旋回室２５ｂの上端壁は、フィルター部ケース２４の底面の一部により形成される。
【００３６】
以上のような構成を有する集塵ユニット１３が、収容部１５ａに適切に取り付けられると、流入口２５ａが吸気風路１９と接続して吸気側ホース接続口９と連通し、流出口２３ａが接続口２２と接続して排気風路２１と連通した状態となる。
【００３７】
次に、図９を参照して、集塵ユニット１３の機能について説明する。尚、吸気風路１９から後述する本体６の排気口５０に至る気流の流れは、図において経路Ｗとして実線の矢印で示されている。排気口５０は、塵挨を分離した気流を本体６から排気する開口である。
図９を参照すると、電動送風機１０の吸引動作が開始されると、吸込口体２から吸込まれた含塵空気は、上述した通り、吸気風路１９を通過し、流入口２５ａから集塵ユニット１３の内部へと流入する。
【００３８】
集塵ユニット１３の内部に流入した含塵空気は、旋回室２５ｂを構成する円筒部２５ｃの内周面に沿って流入する。
取り込まれた含塵空気は、旋回室２５ｂ内において、側壁に沿って所定の方向に回る旋回気流を形成する。この旋回気流は、その経路構造によって下向きに流れていく。
【００３９】
そして、この旋回気流（旋回室２５ｂ内の空気流）に含まれるごみには、遠心力が作用する。例えば、繊維ごみや毛髪といった比較的嵩の大きなごみ（以下、このようなごみのことを「ごみα」という）は、この遠心力によって、円筒部２５ｃの内周面（旋回室２５ｂの内壁面）に押し付けられながら、旋回室２５ｂ内を下方向に移動する。
【００４０】
ごみαは、０次開口部２５ｅの高さに達すると旋回気流から分離され、０次開口部２５ｅを通過して０次集塵室３１に送られる。そして、０次開口部２５ｅから０次集塵室３１に進入したごみαは、０次集塵室３１内を落下して、０次集塵室３１内部に捕集される。  つまり、ごみαは、旋回室２５ｂとは独立した空間となっている０次集塵室３１に送られ、旋回気流の影響が少ない状態で０次集塵室３１内部に保持される。
【００４１】
次に、０次開口部２５ｅから０次集塵室３１に進入しなかったごみβ（砂ごみや細かな繊維ごみといった比較的嵩の小さなごみ）は、旋回室２５ｂ内の気流に乗って、旋回室２５ｂ内を旋回しながら下方に進む。
そして、ごみβは、１次開口部２５ｆを通過する。そして、ごみβは、１次集塵室３２に落下して捕捉される。つまり、ごみβは、旋回室２５ｂとは独立した空間となっている１次集塵室３２に送られ、旋回気流の影響が少ない状態で１次集塵室３２内部に保持される。
【００４２】
旋回室２５ｂ内で旋回する気流は、旋回室２５ｂの最下部に達すると、その進行方向を上向きに変えて、旋回室２５ｂの中心軸に沿って上昇する。尚、この上昇気流を形成する空気からは、上記で説明した作用により、殆どのごみα及びごみβが除去されている。
ごみα及びごみβが取り除かれた気流（清浄空気）は、排出口２４ａを通過して、旋回室２５ｂの外に排出される。旋回室２５ｂから排出された空気は、排出管２３ｂ内を通過して、流出口２３ａに達する。そして、清浄空気は、流出口２３ａ及び接続口２２を順次通過して、排気風路２１に送られる。
【００４３】
電動送風機１０が吸引動作を行うことにより、上述したように、ごみαが０次集塵室３１に、ごみβが１次集塵室３２に集積されていく。これらのごみα及びβは、集塵部ケース２６を集塵ユニット１３から取り外すことにより、簡単に捨てることができる。
また、ごみα、ごみβは、旋回室２５ｂから独立した空間である０次集塵室３１、１次集塵室３２に保持される。つまり、旋回気流は、ごみが蓄積される集塵室内部をほとんど通過することなく、含塵空気からごみである塵挨と気流を分離する。従って、ごみに含まれる臭い等が旋回気流に混ざることを防止でき、集塵ユニット１３から排出される空気をよりクリーンにすることができる。
【００４４】
次に、収容ユニット１２の内部に構成される排気風路形成部１７は、排気風路２１を形成する。排気風路２１は、集塵ユニット１３において塵埃が取り除かれた空気を排気口５０に導くための風路である。
【００４５】
ここで、接続口２２から排気口５０に至る排気風路２１について説明する。
図９を参照すると、排気風路２１には電動送風機１０が設けられている。電動送風機１０は、電気掃除機１に形成された風路に気流を発生させる。電気掃除機１に形成された風路には、例えば、外部から掃除機本体６に含塵空気を流入させるための風路、吸気風路１９、集塵ユニット１３に形成された風路及び排気風路２１が含まれる。
また、電動送風機１０は、吸込み口１０ａが上方に向け開口し、送風機排出口１０ｂが側面に開口し、排気風路２１の内部に設けられている。
接続口２２と電動送風機１０の間（電動送風機の上流側）には、ＨＥＰＡフィルター２１ａが設けられている。また、電動送風機１０の前方（電動送風機の下流側）には、ＵＬＰＡフィルター２１ｂが設けられている。
【００４６】
このように形成された排気風路２１を流れる気流は、接続口２２から下方向に向けて流れ、ＨＥＰＡフィルター２１ａを通過したのち電動送風機１０の吸込み口１０ａに吸込まれ、電動送風機１０の送風機排出口１０ｂから前方に向けて噴き出され、ＵＬＰＡフィルター２１ｂを通過したのち下方向に流れ、電動送風機１０の下方に位置する排気風路２１を形成する空間を流れたのち、後方に向けて開口する排気口５０へと至る。
【００４７】
このように、電動送風機１０の上流側に、集塵性能が高いＨＥＰＡフィルター２１ａを設けることで、集塵ユニット１３で捕集しきれない塵挨を捕集することができ、排気をよりきれいにすることができる。
また、電動送風機１０の下流側にＵＬＰＡフィルター２１ｂを設けることで、電動送風機１０の内部から出るカーボンなどの塵挨を捕集することができ、電動送風機１０から出る排気をきれいにすることができる。
尚、電動送風機１０から排気口５０へ至る排気風路２１は、排気洩れを防ぐシール部材が設けられ、電動送風機１０からの排気が、排気口５０から集中して排気されるように構成されている。これにより、排気口５０からでる排気の風速を強くすることができる。
【００４８】
ここで、電動送風機１０からの排気を分散させずに排気口５０に集中させる為に必要な構造として、コードリール２００の構造について説明する。
図１３は、コードリール２００等の分解図である。電源コード１１がコードリール２００に巻きつけられている。コードリール２００は、第１部分２０１と第２部分２０２を備えている。第１部分２０１と第２部分２０２の間には軸部２０３が挟まれる。第１部分２０１は車輪１８と隣接する環状の部分である。第２部分２０２は電動送風機１０に隣接する環状の部分である。軸部２０３は、第１部分２０１と第２部分２０２との中心に挿入される軸である。軸部２０３はコードリール２００の軸として機能する。コードリール２００は軸部２０３に対して回転可能である。
軸部２０３の一端が第１部分２０１に嵌り、軸部２０３の他端が第２部分２０２に嵌ることで、第１部分２０１と第２部分２０２が対向した状態で維持される。
【００４９】
図１４は、コードリール２００等の断面斜視図である。第１部分２０１と第２部分２０２との中央に軸部２０３が嵌められている。コードリール２００は巻取部２０５を備えている。巻取部２０５は、第１部分２０１の底部２０１ａと、第２部分２０２の底部２０２ａと、を備えている。底部２０１ａ、２０２ａは円筒状である。底部２０１ａと底部２０２ａが接触することで、これらが略平坦な面を形成する。この巻取部２０５に電源コード１１が巻き付けられる。電源コード１１は、内側電源コード１１ａと外側電源コード１１ｂとを備えている。内側電源コード１１ａは、巻取部２０５に接触又は非常に近接する。外側電源コード１１ｂは、巻取部２０５に接触又は非常に近接しない。外側電源コード１１ｂは、内側電源コード１１ａ又は内側電源コード１１ａよりも外側の電源コードに接触する。
【００５０】
巻取部２０５には孔２０５Ａが形成されている。図１５は、巻取部２０５と電源コード１１の平面図である。巻取部２０５には複数の孔２０５Ａが形成されている。孔２０５Ａは等間隔で複数形成されることが好ましい。巻取部２０５は外側に凸となる凸部２０５Ｂを備えている。凸部２０５Ｂは任意の間隔で設ける。凸部２０５Ｂが電源コード１１に接触することで、凸部が無い場合と比べて巻取部２０５と電源コード１１との接触面積を減らすことができる。その結果、巻取部２０５と電源コード１１との間に間隙が形成される。この間隙は電源コード１１の放熱を促進する。
【００５１】
図１４の説明に戻る。コードリール２００は、ガイド部２０６を備えている。ガイド部２０６は、第１部分２０１の一部である第１環状部２０１ｂと、第２部分２０２の一部である第２環状部２０２ｂと、を備えている。第１環状部２０１ｂは底部２０１ａに接続され、第２環状部２０２ｂは底部２０２ａに接続されている。ガイド部２０６は、電源コード１１がコードリールの巻取部２０５に巻きつくよう、電源コード１１の位置をガイドするものである。
【００５２】
コードリール２００は通気部２０７を備えている。通気部２０７は、第１部分２０１の一部である第１側壁２０１ｃと、第２部分２０２の一部である第２側壁２０２ｃと、を備えている。第１側壁２０１ｃは底部２０１ａに接続されている。第２側壁２０２ｃは底部２０２ａに接続されている。
第１側壁２０１ｃと第２側壁２０２ｃは対向している。第１側壁２０１ｃと第２側壁２０２ｃの間に空隙２０７Ａがある。この空隙２０７Ａは、巻取部２０５の孔２０５Ａと軸部２０３の開口２０３ａをつなぐものである。空隙２０７Ａは軸部２０３を囲む空間である。
【００５３】
軸部２０３の側面には開口２０３ａが形成されている。軸部２０３には、開口２０３ａに通じ長手方向に伸びる中空領域２０３ｂが形成されている。図１６は軸部の断面図である。軸部２０３には、開口２０３ａと、開口２０３ａにつながる中空領域２０３ｂが設けられている。開口２０３ａは中空領域２０３ｂを囲むように、等間隔に複数設けられることが好ましい。中空領域２０３ｂは上方には開放となっている。したがって、開口２０３ａから中空領域２０３ｂに達した空気は、中空領域２０３ｂの上方（長手方向）に向かう。
【００５４】
図１７は、軸部２０３の正面図である。軸部２０３は庇部２０３Ａを備えている。庇部２０３Ａの上には（開口が形成された）筒状部２０３Ｂが設けられている。筒状部２０３Ｂの上には上部が開放となっている上端部２０３Ｃが設けられている。上端部２０３Ｃは筒状部２０３Ｂより細いので、筒状部２０３Ｂの上面２０３Ｂ’が表面に表れている。
【００５５】
図１７と、図１４を参照することで分かるように、庇部２０３Ａの下面と第１側壁２０１ｃとが接触している。庇部２０３Ａの上面には第２側壁２０２ｃが接触している。第２側壁２０２ｃは、その一部に軸部２０３の長手方向と平行方向に伸びる平行部２０２ｃ’を備えている。この平行部２０２ｃ’が庇部２０３Ａの上面及び筒状部２０３Ｂに接している。平行部２０２ｃ’には孔が設けられ、平行部２０２ｃ’が軸部２０３の開口２０３ａを完全に塞ぐことがないようになっている。そのため、筒状部２０３Ｂの開口２０３ａが空隙２０７Ａにつながっている。
【００５６】
図１８は、第２側壁２０２ｃの平行部２０２ｃ’と、軸部２０３等の断面図である。平行部２０２ｃ’は軸部２０３に回転可能に接触している。平行部２０２ｃ’には孔７０が複数形成されている。この孔７０は等間隔で複数形成することが好ましい。孔７０の開口率（開口幅）は、軸部２０３の開口２０３ａの開口率（開口幅）より小さい。したがって、コードリール２００の軸部２０３に対する回転状態によらず、平行部２０２ｃ’の孔７０と軸部２０３の開口２０３ａがつながる。
【００５７】
図１８は断面図であるので、電源コード１１Ａ、１１Ｂ、１１Ｃが不連続に見えている。しかし、実際は電源コード１１Ａが電源コード１１Ｂにつながり、電源コード１１Ｂが電源コード１１Ｃにつながる。なお、図１８には、巻取部２０５に形成された凸部２０５Ｂが示されている。
【００５８】
図１４の説明に戻る。筒状部２０３Ｂの上面２０３Ｂ’（上面２０３Ｂ’については図１８参照）には、端子受け部材２１０がのせられている。端子受け部材２１０の上にカバー２１２がのせられている。端子受け部材２１０とカバー２１２は、電源コード１１に接続された端子が外部に露出しないように当該端子を覆うものである。そのような端子は第２側壁２０２ｃの上面にある。端子受け部材２１０とカバー２１２をまとめて端子カバー２１４と称する。カバー２１２は、端子をカバーするカバー部２１２ａと、ガイド部２１２ｂを備えている。
【００５９】
ガイド部２１２ｂには、軸部２０３の中空領域２０３ｂにつながるガイド孔２１２ｃが形成されている。ガイド孔２１２ｃは、コードリール２００の中央からコードリール２００の外周方向へのびる空間となっている。ガイド部２１２ｂの先端部分は筒状となっている。
【００６０】
図１９は、掃除機本体６の内部を示す平面図である。掃除機本体６の内部には係止部材２２０が設けられている。係止部材２２０は電動送風機１０の位置を固定するとともに電動送風機１０に吸込まれる空気の流路を確保するために設けられている。係止部材２２０は、電動送風機１０の吸込口に通じる連結孔が形成された連結部２２０ａを備えている。連結部２２０ａは図９にも示されている。
【００６１】
図１９にはチューブ２３０が示されている。チューブ２３０は、一端が連結部２２０ａに接続され、他端がガイド部２１２ｂに接続される。チューブ２３０は、連結部２２０ａとガイド部２１２ｂに接続されることで、電動送風機１０の吸込口とガイド孔２１２ｃをつなぐ。チューブ２３０は蛇腹部２３０ａを備えている。電動送風機１０で生じた振動は蛇腹部２３０ａである程度吸収されるので、電動送風機１０から端子カバー２１４に伝播する振動を抑制できる。蛇腹部２３０ａで振動を吸収することはチューブの抜け防止にも寄与する。また、蛇腹部２３０ａはある程度の変形が可能である。そのため、例えば製造ばらつきにより連結部２２０ａとガイド部２１２ｂの相対位置がずれたとしても、チューブ２３０の形状を変形させることで、連結部２２０ａとガイド部２１２ｂとにチューブ２３０を接続することができる。よって電気掃除機１の組み立てが容易になる。
【００６２】
チューブ２３０はプラスチックで形成することが好ましい。例えば、ブロー成形された軽量素材のＬＤＰＥ（低密度ポリエチレン）でチューブ２３０を形成することができる。プラスチックはある程度の硬さを有する素材である。したがって、チューブ２３０をプラスチックで形成した場合、チューブが折れたりへこんだりして風路を塞いでしまうことを防止できる。しかも、蛇腹部２３０ａによりある程度の柔軟性を確保でできる。なお、ある程度の硬さを確保できるのであれば、チューブをマンドレル成形のゴムで形成してもよい。なお、チューブ２３０の斜視図は図２０に示されている。
【００６３】
電動送風機による吸引風について説明する。図９に示される矢印は、電動送風機１０による吸引風と、電動送風機１０の排気を示す。図９に示されるように、サクションホース５には、集塵ユニット１３が接続されている。集塵ユニット１３で塵埃と空気が分離される。塵埃が分離された比較的清浄な空気は排気風路２１に至る。排気風路２１の空気は、電動送風機１０に吸込まれる前にＨＥＰＡフィルター２１ａを通る。ＨＥＰＡフィルター２１ａは、集塵ユニット１３から電動送風機１０に向かう空気の塵埃を捕集する。ＨＥＰＡフィルター２１ａは電動送風機１０に塵埃が浸入することを防止するために設けられている。
【００６４】
ＨＥＰＡフィルター２１ａを通った空気は、電動送風機直前空間９１を経由して、電動送風機１０に吸引される。係止部材２２０の連結部２２０ａは、この電動送風機直前空間９１につなげられている。つまり、連結部２２０ａは、ＨＥＰＡフィルター２１ａと電動送風機１０の間に設けられている。
【００６５】
図１９に示されるように、連結部２２０ａにはチューブ２３０の一端が接続され、ガイド部２１２ｂにはチューブ２３０の他端が接続されている。図１４に示されるとおり、ガイド部２１２ｂの中のガイド孔２１２ｃは軸部２０３の中の中空領域２０３ｂにつながる。中空領域２０３ｂは開口２０３ａを介して空隙２０７Ａにつながる。空隙２０７Ａは巻取部２０５の孔２０５Ａにつながる。
【００６６】
したがって、電動送風機１０が作動すると、図１９の矢印Ａ０で示されるように車輪１８の間、又は車輪１８と後部収容体１４との間から本体内部に空気が供給される。そして、その空気が、図１４の矢印Ａ１、Ａ２、Ａ３、Ａ４、Ａ５方向に進み、さらに、図１９の矢印Ａ６、Ａ７方向に進み、電動送風機１０の吸込口から吸引される。
【００６７】
したがって、図１４の電源コード１１の間を通って巻取部２０５の孔２０５Ａに至る空気の流れをつくることができる。この空気は、主として車輪１８と後部収容体１４の間から供給されるので、外気と同等の温度の空気が電源コード１１にあたることになる。しかも、この空気の流れは、コードリール２００の外側から内側に向かうので、電源コード１１全体に風を当てることができる。つまり、外側電源コード１１ｂのみならず、内側電源コード１１ａも空冷できる。よって、コードリール２００に巻き付けられた電源コード１１のうち、コードリール２００の中心に近い部分を十分に冷却できる。
【００６８】
矢印Ａ２（図１４参照）で示される空気の流れは、巻取部２０５の複数の孔２０５Ａから、空隙２０７Ａを経由して、軸部の開口２０３ａに至るものである。平面的にみれば、この空気は図１５の矢印Ａ２の方向に流れる。図１８にも矢印Ａ２が示されている。図１８には、矢印Ａ２方向に進む空気が、コードリールの一部である平行部２０２ｃ’に形成された孔７０と、軸部２０３の開口２０３ａを通ることが示されている。
【００６９】
矢印Ａ３（図１４参照）で示される空気の流れは、開口２０３ａから入った空気が中空領域２０３ｂを端子カバー２１４の方向に進むものである。
【００７０】
矢印Ａ４、Ａ５で示される空気の流れは、軸部２０３の開放上端からガイド孔２１２ｃの先端部に至るものである。ガイド孔２１２ｃはカバー２１２にガイド部２１２ｂを設けることで提供されるので、部品点数の増加はない。なお、図１４においては、カバー２１２と端子受け部材２１０の両方によってガイド部２１２ｂ（ガイド孔２１２ｃ）が構成されるが、カバー２１２だけでガイド部を構成してもよい。端子カバー２１４のどこかにガイド孔を設けることで、部品点数の増加を避けつつ、必要な流路を提供できる。
【００７１】
矢印Ａ６、Ａ７（図１９参照）で示される空気の流れは、ガイド孔２１２ｃからチューブ２３０の中を進み連結部２２０ａに至るものである。図９に示されるように、電動送風機直前空間９１の空気が電動送風機１０によって吸引されることで、連結部２２０ａの中の空気が吸引される。
【００７２】
ところで、電動送風機１０の排気は、電動送風機１０を経由した空気であるので、電動送風機１０の吸気より温度が高い。例えば排気温度は６０℃であり、吸気温度は外気温（例えば３０℃）と同程度である。本発明の実施の形態に係る電気掃除機１は、電動送風機１０の吸気を用いて電源コード１１を冷却するので、排気を用いた場合と比べて電源コード１１を十分に冷却できる。また、外気に多くの塵埃が含まれているとは考えづらいので、電源コード１１を経由して電動送風機１０の吸込口に至る空気の経路にフィルターを設けなくてもよい。
【００７３】
また、連結部２２０ａはＨＥＰＡフィルター２１ａと電動送風機１０の間に設けられているので、仮に図９のＨＥＰＡフィルター２１ａがつまったとしても、電源コード１１を冷却する空気の流量は変化しない。よって、安定して電源コード１１を冷却することができる。
【００７４】
電動送風機１０の排気について説明する。電動送風機１０からの排気は、図９の矢印Ｄ１の方向に進み、ＨＥＰＡフィルター２１ａを通る。その後、矢印Ｄ２の方向に進み、矢印Ｄ３、Ｄ４で示されるように電動送風機１０の下をとおり、排気口５０から外部へ排気される。前述のとおり排気は比較的高温であるので、排気が電源コード１１にあたらないようにする。
【００７５】
図２１は、掃除機本体６の断面図である。電動送風機１０の下には排気流路４００が設けられている。図２１では排気流路４００に斜線が付されている。排気流路４００は、図９でいえば、矢印Ｄ３、Ｄ４で示される空気が流れる領域である。排気が通る領域である排気流路４００の空気がコードリール２００を収容するエリアに侵入しないように、Ｏリング５００、５０１が設けられている。Ｏリング５００、５０１は、シール部材に相当し、下ケース５１０と係止部材２２０との間に挟まれることで弾性変形している。Ｏリング５００、５０１に代えて、ゴム等で形成された任意のシーリング材を用いても良い。このように、コードリール２００が設けられた空間を、電動送風機１０の排気風が通る排気流路４００から遮断（分離）することで、排気が電源コード１１を暖めることを防止できる。
【００７６】
掃除機本体６の中には基板１２０が設けられている。基板１２０は、例えば、電動送風機１０を制御するマイコンなどが搭載されたものである。基板１２０が設けられた空間は、電動送風機１０の排気風が通る排気流路４００から遮断（分離）されている。遮断の手段は特に限定されないが、例えばＯリングを用いるとよい。基板１２０に排気があたると、基板が高温になるおそれがある。しかし、本発明の実施の形態では、基板１２０が形成された空間を排気流路４００から遮断することで、基板１２０に排気が当たらないようにした。よって、基板１２０が高温になることを防止できる。
【００７７】
特に基板に３端子レギュレータが設けられている場合は、基板が高温になりやすいので、基板に排気をあてないことが重要となる。なお、排気により基板を冷却しようとすると、排気によって基板が汚染されたり、排気に含まれる水分が基板回路をショートさせてしまったりするおそれがある。
【００７８】
図２１に示されるヒートシンク１２２は、基板１２０に接続される。このヒートシンク１２２は、電動送風機直前空間９１に位置させた。つまり、ヒートシンク１２２は電動送風機１０とＨＥＰＡフィルター２１ａとの間に設けられる。これにより、電動送風機１０の吸気によってヒートシンク１２２を冷却できるので、基板１２０を十分冷却することができる。
【００７９】
実施の形態に係るコードリール２００の重要な特徴は、図１４に示される巻取部２０５の孔２０５Ａを通って、コードリール２００の中央方向に向かい、電動送風機１０の吸込口に至る空気の流路が設けられたことである。これにより外部から電動送風機１０に吸引される空気を、電源コード１１全体にあてることができる。本発明の実施の形態に係る電気掃除機１は、この特徴を逸脱しない範囲で適宜変形が可能である。例えば、１つの部分として説明した部分を他の部分と一体化したり、複数の部分として説明した部分を１部品にしたりするこができる。また、端子カバー２１４を省略して、軸部２０３に直接チューブを取り付けても良いし、端子カバー２１４とは別部品となるガイド部を設けてもよい。
【００８０】
ここで、図９〜図１２を参照して、排気口５０について説明する。
排気口５０は、電動送風機１０の後方であって、後部収容体１４の後面に位置している。排気口５０は前後方向に延びる筒状に形成されており、前側の端には開口を遮るように格子５０ａが設けられている。
排気口５０の内形状は、サクションホース５の接続部５ｂが接続可能な形状をなしている。つまり、排気口５０には、接続部５ｂが接続可能である排気側ホース接続口が形成されている。尚、接続部５ｂが接続した状態において、サクションホース５と排気口５０は一連の空間を成し、排気口５０から排出される気流である排気が、サクションホース５の内部に流入可能となる。
【００８１】
これにより、サクションホース５に排気の気流を導入することができるので、サクションホース５の接続パイプ４が接続される側にブロアー用のアタッチメント６０を取り付けることで、アタッチメントから排気流をブロアーの気流として噴き出すことができ、塵埃を吹き飛ばすブロアーとして用いることができる。尚、アタッチメント６０は、ブロアーとして用いる際の使用用途に応じて、形状が異なるものと交換して用いてもよい。また、アタッチメント６０を用いずに、直接接続パイプ４からブロアーの気流を噴き出して用いてもよい。
【００８２】
特に、本実施の形態では、上記のように、旋回室２５ｂから独立した空間である０次集塵室３１、１次集塵室３２にごみα、ごみβが保持される集塵ユニット１３を用いているので、集塵ユニット１３を流れる気流は、ごみが蓄積される集塵室内部をほとんど通過することがなく、ごみに含まれる臭い等が排気流に混ざりにくい。
つまり、ブロアーの気流に用いる排気流が、クリーンな状態であり、集塵ユニット１３にごみを貯めた状態であっても、ごみの臭いなどを気にせずブロアーとして用いることができる。
【００８３】
また、排気口５０の近傍には、サクションホース５の接続部５ｂが接続した際に、接続端子５ｃを受け入れて接続する接続部となる排気側端子受け部５０ｂが設けられている。この排気側端子受け部５０ｂは、制御手段と電気的に接続しており、吸気側端子受け部９ａと同様に、接続端子５ｃと接続することで、操作表示部８が制御手段に電気的に接続する。
これにより、操作表示部８は、本体６（制御手段）から電力が供給され、制御信号の受信をし、使用者がスイッチを押圧操作することによる信号を制御手段に出力できる。このため、操作表示部８から電動送風機１０の出力を変更することが可能となる。
【００８４】
つまり、使用者がハンドル７を持ったまま操作表示部８を操作して、電動送風機１０の出力を変更して、排気口５０から排出される排気風の強さを調整することができる。従って、ブロアーとして用いる場合であっても、使用者がハンドルを持ったままブロアーの強さを調整することができる。
【００８５】
また、接続部５ｂには係合手段５ｄが設けられている。排気口５０には係合手段５ｄが係合する係合受け部５０ｃが設けられる。係合受け部５０ｃも排気側端子受け部５０ｂもサクションホース５が接続した状態において、上側に位置する。
【００８６】
また、排気口５０に、接続部５ｂが接続すると信号を制御手段に入力する接続検出スイッチを設けてもよい。このように、制御手段が排気口５０に接続部５ｂが接続したか否かを検出可能に構成することで、ブロワー運転の際の電動送風機１０の動作を、通常の掃除を行う際の動作と異ならせることができる。
また、制御手段が排気口５０に接続部５ｂが接続したか否かを検出可能に構成することで、ブロワー運転状態である旨を操作表示部に表示することができる。
【００８７】
このように、本実施の形態の電気掃除機１は、集塵ユニット１３と収容ユニット１２と電動送風機１０とを有する掃除機本体６を備える。また電気掃除機１は、掃除機本体６に接続するサクションホース５と、電源コード１１と、電源コード１１が巻き付けられる巻取部２０５を有するコードリール２００と、を備える。集塵ユニット１３は、収容ユニット１２に着脱自在に取り付けられる。収容ユニット１２には、サクションホース５と接続して塵挨を含む気流を吸い込む吸気側ホース接続口９と、塵挨を分離した気流を排気する排気口５０と、が形成される。排気口５０には、サクションホース５が接続する排気側ホース接続口が形成される。サクションホース５は、吸気側ホース接続口９および排気側ホース接続口のどちらにも接続可能な接続部５ｂを有する。巻取部２０５には孔２０５Ａが設けられる。掃除機本体６の外部から電動送風機１０の吸込口に至る空気の流路は、孔２０５Ａを通ってコードリール２００の中央に向かって設けられる。電動送風機１０から排気口５０に至る風路には、排気が掃除機本体６から外部へ洩れるのを防止するシール部材が設けられる。このため、電動送風機１０からの排気を用いず電動送風機１０への吸気を用いて電源コード１１の中心部を含め冷却し、電動送風機１０からの排気が排気口５０から集中して排出される。これにより、排気口５０からでる排気の風速を強くすることができ、掃除機本体６から排出される排気を用いて、強い気流で塵埃等を吹き飛ばすことができる電気掃除機１を提供できる。
【００８８】
また、電動送風機１０を制御する制御手段と、サクションホース５に接続する接続パイプ４と、接続パイプ４に設けられた操作表示部８とをさらに備える。接続部５ｂには、操作表示部８と電気的に繋がる接続端子５ｃが設けられる。吸気側ホース接続口９には、接続部５ｂが吸気側ホース接続口９に接続する記接続端子５ｃと接続する吸気側端子受け部９ａが設けられる。排気側ホース接続口には、接続部５ｂが排気側ホース接続口に接続すると接続端子５ｃと接続する排気側端子受け部５０ｂが設けられる。操作表示部８と制御手段とが電気的に接続され、制御手段は、操作表示部８からの入力に基づき電動送風機１０の出力を制御する。操作表示部８を操作することにより、電動送風機１０の出力を変更するので、サクションホース５の接続部５ｂを排気側ホース接続口に接続してブロアーとして用いる場合であっても、ブロアーの強さを調整することができる。
【００８９】
また、集塵ユニット１３は、吸込んだ含塵空気から塵挨を分離する構造をサイクロン構造としたので、吸引力が持続する電気掃除機が得られる。
【００９０】
また、電動送風機の上流側及び下流側にフィルターを設けたので、集塵ユニット１３で捕集しきれない塵挨を捕集することができ、排気をよりきれいにすることができる。
【００９１】
また、コードリール２００は、側面に開口２０３ａを有し且つ開口２０３ａに通じ長手方向に伸びる中空領域２０３ｂを有する軸部２０３を備える。コードリール２００には、孔２０５Ａと開口２０３ａをつなぐ空隙が形成されたので、軸部２０３が電源コード１１を冷却する風路の一部を構成し、コードリール２００の中心に近い部分を十分に冷却できる。
【００９２】
また、コードリール２００は、軸部２０３に回転可能に接触する平行部２０２ｃ’を備える。平行部２０２ｃ’には孔が設けられ、コードリール２００の軸部２０３に対する回転状態によらず、平行部２０２ｃ’の孔と開口２０３ａがつながるので、コードリール２００の軸部２０３に対する回転状態によらず、電源コード１１を冷却する風路を確保できる。
【００９３】
また、巻取部２０５は、電源コード１１に接する凸部２０５Ｂを備えたので、巻取部２０５と電源コード１１との接触面積を減らすことができる。その結果、巻取部２０５と電源コード１１との間に間隙が形成され、この間隙が電源コード１１の放熱を促進する。
【００９４】
また、電源コード１１に接続された端子を覆う端子カバー２１４を備え、端子カバー２１４は、中空領域２０３ｂにつながるガイド孔２１２ｃが形成されたガイド部２１２ｂを備えたので、端子カバー２１４を、電源コード１１を冷却する風路の一部として構成できる。
【００９５】
また、電動送風機１０の位置を固定し、電動送風機１０の吸込口に通じる連結孔が形成された連結部２２０ａを有する係止部材２２０と、連結部２２０ａとガイド部２１２ｂに接続され、電動送風機１０の吸込口とガイド孔２１２ｃとをつなぐチューブ２３０と、を備えたので、コードリール２００を経由して電動送風機１０の吸込口に至る空気の流路を確保できる。
【００９６】
また、集塵ユニット１３から電動送風機１０に向かう空気の塵埃を捕集するフィルタとを備え、連結部２２０ａは、フィルタと電動送風機１０との間に設けられる。このため、コードリール２００を経由して連結孔から供給される、塵埃を含まない空気が電動送風機１０に吸い込まれ、電動送風機１０の吸引性能が持続する。
【００９７】
また、チューブ２３０は蛇腹部を備えたので、電動送風機１０で生じた振動は蛇腹部である程度吸収され、電動送風機１０から端子カバー２１４に伝播する振動を抑制できる。また、蛇腹部はある程度の変形が可能であり、連結部２２０ａとガイド部２１２ｂにチューブ２３０を接続することが容易となる。
【００９８】
また、チューブ２３０をプラスチックで形成したので、チューブ２３０が折れたりへこんだりして風路を塞いでしまうことを防止できる。
【００９９】
また、チューブ２３０をゴムで形成したので、チューブ２３０の柔軟性を確保できる。
【０１００】
また、コードリール２００が設けられた空間を、電動送風機１０の排気風が通る排気流路４００から遮断したので、電動送風機１０の排気風が電源コード１１を暖めることを防止できる。
【０１０１】
また、電動送風機１０を制御する基板１２０を備え、基板１２０が設けられた空間を、電動送風機１０の排気風が通る排気流路４００から遮断したので、電動送風機１０の排気風により基板１２０が高温になることを防止できる。
【０１０２】
また、電動送風機１０を制御する基板１２０と、電動送風機１０とフィルタの間に設けられたヒートシンク１２２と、を備え、ヒートシンク１２２と基板１２０を接続したので、電動送風機１０の吸気によってヒートシンク１２２を冷却し、基板１２０を冷却することができる。
【符号の説明】
【０１０３】
１  電気掃除機、２  吸込口体、３  吸引パイプ、４  接続パイプ、５  サクションホース、５ａ  リード線、５ｂ  接続部、５ｃ  接続端子、５ｄ  係合手段、５ｅ  係合解除ボタン、６  掃除機本体、７  ハンドル、８  操作表示部、９  吸気側ホース接続口、９ａ  吸気側端子受け部、１０  電動送風機、１１  電源コード、１１ａ  内側電源コード、１１ｂ  外側電源コード、１２  収容ユニット、１３  集塵ユニット、１４  後部収容体、１５  前部収容体、１８  車輪、２１ａ  ＨＥＰＡフィルター、３１  ０次集塵室、３２  １次集塵室、５０  排気口、５０ａ  格子、５０ｂ  排気側端子受け部、５０ｃ  係合受け部、６０  アタッチメント、７０  孔、９１  電動送風機直前空間、１２０  基板、１２２  ヒートシンク、２００  コードリール、２０１  第１部分、２０２  第２部分、２０３  軸部、２０３ａ  開口、２０３ｂ  中空領域、２０５  巻取部、２０５Ａ  孔、２０６  ガイド部、２０７  通気部、２０７Ａ  空隙、２１０  端子受け部材、２１２  カバー、２１２ｂ  ガイド部、２１２ｃ  ガイド孔、２１４  端子カバー、２２０  係止部材、２２０ａ  連結部、２３０  チューブ、２３０ａ  蛇腹部、４００  排気流路、５００、５０１  Ｏリング（シール部材）、５１０  下ケース
【図１】
2019188220.tif 000003
【図２】
2019188220.tif 000004
【図３】
2019188220.tif 000005
【図４】
2019188220.tif 000006
【図５】
2019188220.tif 000007
【図６】
2019188220.tif 000008
【図７】
2019188220.tif 000009
【図８】
2019188220.tif 000010
【図９】
2019188220.tif 000011
【図１０】
2019188220.tif 000012
【図１１】
2019188220.tif 000013
【図１２】
2019188220.tif 000014
【図１３】
2019188220.tif 000015
【図１４】
2019188220.tif 000016
【図１５】
2019188220.tif 000017
【図１６】
2019188220.tif 000018
【図１７】
2019188220.tif 000019
【図１８】
2019188220.tif 000020
【図１９】
2019188220.tif 000021
【図２０】
2019188220.tif 000022
【図２１】
2019188220.tif 000023